(57)【要約】      （修正有）【課題】別のスピーカキャビネットに接続するためのスピーカキャビネット用のフレームを提供する。【解決手段】フレーム２は、接続装置２１を備える。接続装置２１はアイレット２１０およびロッキングシステム３を備える。ロッキングシステム３は、前方レッグ３１ａおよび後方レッグ３１ｂと、２本のレッグ３１ａ、３１ｂ間に配設され、スライド３２に接続された第１の弾性部材の作用下で高位置と低位置との間を摺動するように構成されるスライド３２と、プル位置およびプッシュ位置をとるように構成された操作部３８と、を備える。ロッキングシステム３は、ロック構成および準備構成をとることができ、操作部３８の移動によってロック構成から準備構成に移行し、低位置から高位置へのスライド３２の移動によって準備構成からロック構成に移行する。【選択図】図２
2020115635.tif 000002
【特許請求の範囲】
【請求項１】
別のスピーカキャビネットに接続するための接続装置（２１）を備える、スピーカキャビネット（１）用のフレーム（２）であって、
前記接続装置（２１）がアイレット（２１０）およびロッキングシステム（３）を備え、前記ロッキングシステム（３）は：
‐互いに平行に配設されそれぞれが下側孔（３１１）および上側孔（３１２）を備える、前方レッグ（３１ａ）および後方レッグ（３１ｂ）である２本のレッグと、
‐前記２本のレッグ（３１ａ、３１ｂ）間に配設され、高位置と低位置との間を摺動するように構成される、スライド（３２）であって、前記スライド（３２）は、少なくとも１つの幅広部分（３２３ａ）および少なくとも１つの幅狭部分（３２３ｂ）を有する開口部（３２３）を備え、２つの案内部材（３２１）を具備し、前記案内部材（３２１）はそれぞれ、前記２本のレッグ（３１ａ、３１ｂ）の少なくとも一方のレッグの両側の縁部（３１３）を支える、スライド（３２）と、
‐前記２本のレッグ（３１ａ、３１ｂ）を互いにリンクさせる少なくとも１つのスペーサ（３９）と、
‐前記スライド（３２）に接続され、前記スライド（３２）を前記高位置から前記低位置に自動的に移動させるように構成される、第１の弾性部材（３３）と、
‐少なくとも１つの大径部分および少なくとも１つの小径部分を有するシャフト（３４１）を備える、選択ネジ（３４）であって、前記選択ネジ（３４）の前記シャフト（３４１）が、前記レッグ（３１ａ、３１ｂ）のそれぞれの前記上側孔（３１２）および前記スライド（３２）の前記開口部（３２３）を貫通し、前記選択ネジ（３４）は、前記シャフト（３４１）の前記少なくとも１つの大径部分が前記スライド（３２）の前記開口部（３２３）の内側にある復帰位置と、前記選択ネジの前記シャフト（３４１）の前記少なくとも１つの小径部分が前記スライド（３２）の前記開口部（３２３）の内側にある退出位置との間を移動するように構成される、選択ネジ（３４）と、
‐前記選択ネジ（３４）に接続され、前記選択ネジ（３４）を前記退出位置から前記復帰位置に自動的に戻すように構成される、第２の弾性部材（３４２）と、
‐ロッキングシャフト（３５）を備えるロッキング部材であって、前記ロッキングシャフト（３５）は、前記ロッキングシャフト（３５）が前記２本のレッグ（３１ａ、３１ｂ）のそれぞれの前記下側孔（３１１）を貫通する、ロッキング位置、および、前記ロッキングシャフト（３５）により前記２本のレッグ（３１ａ、３１ｂ）間に画定された空間（Ｅ）が少なくとも部分的に空く、開放位置、をとるように構成される、ロッキング部材と、
‐プル位置およびプッシュ位置をとるように構成され、前記選択ネジ（３４）および前記ロッキングシャフト（３５）に接合される、操作部（３８）と
を備え、
前記ロッキングシステム（３）は、ロック構成および準備構成をとるように構成され、
前記ロック構成は、
‐前記スライド（３２）が高位置にあり、
‐前記選択ネジ（３４）が、前記シャフト（３４１）の前記大径部分が前記スライド（３２）の前記開口部（３２３）の前記幅広部分（３２３ａ）の内側にある、復帰位置にあり、
‐前記ロッキングシャフト（３５）がロッキング位置にあり、
前記準備構成は、
‐前記スライド（３２）が低位置にあり、
‐前記選択ネジ（３４）が、前記シャフト（３４１）の前記小径部分が前記スライド（３２）の前記開口部（３２３）の内側にある、退出位置にあり、
‐前記ロッキングシャフト（３５）が開放位置にあり、
前記ロッキングシステム（３）は、前記操作部（３８）の移動によって前記ロック構成から前記準備構成に移行し、前記低位置から前記高位置への前記スライド（３２）の移動によって前記準備構成から前記ロック構成に移行する、
スピーカキャビネット（１）用のフレーム（２）。
【請求項２】
請求項１に記載のスピーカキャビネット用のフレーム（２）であって、
前記ロッキング部材は、前記ロッキングシャフト（３５）に接合されたカラー（３７）を備え、前記カラー（３７）は、前記ロッキングシャフト（３５）の周りに形成され、外径が前記前方レッグ（３１ａ）の前記下側孔（３１１）の直径よりも大きい、スピーカキャビネット用のフレーム（２）。
【請求項３】
請求項１または２に記載のスピーカキャビネット用のフレーム（２）であって、
前記ロッキングシステム（３）は、前記ロッキング部材と前記選択ネジ（３４）の両方に固定された接続レッグ（３６）を備え、前記ロッキング部材は前記接続レッグに圧着される、スピーカキャビネット用のフレーム（２）。
【請求項４】
請求項１〜３の何れか一項に記載のスピーカキャビネット用のフレーム（２）であって、
前記操作部（３８）は、前記ロッキング部材の少なくとも一部をオーバーモールドした部分を備える、スピーカキャビネット用のフレーム（２）。
【請求項５】
請求項１〜４の何れか一項に記載のスピーカキャビネット用のフレーム（２）であって、
前記ロッキングシステム（３）は、前記２本のレッグ（３１ａ、３１ｂ）を互いに接続する２つのスペーサ（３９）を備え、前記２つのスペーサ（３９）は、前記レッグ（３１ａ、３１ｂ）の両側に配設される、スピーカキャビネット用のフレーム（２）。
【請求項６】
請求項１〜５の何れか一項に記載のスピーカキャビネット用のフレーム（２）であって、
前記レッグ（３１ａ；３１ｂ）はそれぞれ、２つの上側孔（３１２）を備え、前記ロッキングシステム（３）は２つの選択ネジ（３４）を備え、前記２つの選択ネジ（３４）の前記シャフト（３４１）は、前記２本のレッグ（３１ａ、３１ｂ）の前記上側孔（３１２）を貫通し、
前記スライド（３２）の前記開口部（３２３）は、少なくとも２つの幅広部分（３２３ａ）および少なくとも２つの幅狭部分（３２３ｂ）を備え、
復帰位置では、前記２つの選択ネジ（３４）の前記大径部分が前記スライド（３２）の前記開口部（３２３）の内側にあり、退出位置では、前記２つの選択ネジ（３４）の前記小径部分が前記スライド（３２）の前記開口部（３２３）の内側にある、
スピーカキャビネット用のフレーム（２）。
【請求項７】
請求項１〜６の何れか一項に記載のスピーカキャビネット用のフレーム（２）であって、
前記スライド（３２）は、２対の案内部材（３２１）を具備し、各対の案内部材（３２１）は、前記２本のレッグ（３１ａ、３１ｂ）の少なくとも一方のレッグの両側の縁部（３１３）を支える、スピーカキャビネット用のフレーム（２）。
【請求項８】
請求項１〜７の何れか一項に記載のスピーカキャビネット用のフレーム（２）であって、
前記ロッキングシステム（３）は、強制開放構成をとるように構成され、
前記強制開放構成は、
‐前記スライド（３２）が上側位置にあり、
‐前記選択ネジ（３４）が、前記シャフト（３４１）の前記小径部分が前記スライド（３２）の前記開口部（３２３）の内側にある、退出位置にあり、
‐前記ロッキングシャフト（３５）が開放位置にあり、
前記ロッキングシステム（３）は、前記上側位置への前記スライド（３２）の移動によって前記強制開放構成に移行する、スピーカキャビネット用のフレーム（２）。
【請求項９】
請求項１〜８の何れか一項に記載のフレーム（２）を備える、スピーカキャビネット。
【請求項１０】
請求項９に記載の第１のスピーカキャビネット（１）および請求項９に記載の第２のスピーカキャビネット（１’）を備え、前記第１および第２のスピーカキャビネット（１、１’）が互いに組み付けられるときに、前記第２のスピーカキャビネット（１’）のアイレット（２１０’）が前記第１のスピーカキャビネット（１）の前記ロッキングシステム（３）にロックされる、少なくとも２つのスピーカキャビネットのセット。
【発明の詳細な説明】
【技術分野】
【０００１】
本発明はスピーカキャビネットの分野に関する。
【０００２】
本発明は、より詳細には、別のスピーカキャビネットに接続するための接続装置を備えるスピーカキャビネットフレームに関する。
【０００３】
本発明は、このようなフレームを備えるスピーカキャビネットにも関する。
【０００４】
最後に、本発明は、このようなフレームをそれぞれ備え、そのフレームによって互いに連結される、２つのスピーカキャビネットに関する。
【背景技術】
【０００５】
劇場、コンサートホールまたは会議場などの大規模なホールでは、特定の音響効果を得るために、一般にスピーカキャビネットが特定の方法で配設される。特に求められる音響上の目標の一つは、とりわけ、音量と所望の有効範囲との比率を最適化することである。
【０００６】
そのために、スピーカキャビネットは、相互に、具体的には、各キャビネットにある接続装置を用いて縦の列に（または「直線に並べて」）組み付けられることがある。これらのアセンブリは複数のキャビネットから構成されることがあり、各キャビネットは５０キログラムを超えることがある。そして、キャビネットは、連結手段を用いて空中に吊り下げられるか、地上に配置される。
【０００７】
相互に組み付けられるように構成されたキャビネットのほとんどが、キャビネットの異なる部分を支持および保持できるようにするフレームを備える。各キャビネットのフレームは、通常、別のキャビネットへの連結を可能にする接続装置を備える。
【０００８】
これに関連して、例えば、別のスピーカキャビネットに接続するための接続装置を備えるスピーカキャビネットを開示する特許文献１が知られている。
【０００９】
該接続装置はロッキングシステムおよびアイレットを備える。本書で説明するロッキングシステムは、キャビネットの下に収納されるＴ字形のアセンブリであり、ラッチの動かすことを可能にする機構を備える。第１のキャビネットと第２のキャビネットとを組み付けおよび組み付け解除する際に、ロッキングシステムは、第１のキャビネットのラッチが第２のキャビネットのアイレットに収容されるロック構成、および、第１のキャビネットのラッチが第２のキャビネットのアイレットから引き出されるロック解除構成または準備構成、を採用するように構成される。
【００１０】
スピーカキャビネット組み付けに関して、ロッキングシステムに他の機構を用いてよい。具体的には、スライドを備えるロッキングシステムを想定することができる。しかし、その際には、ロッキングシステムの安定性および円滑性に注意を払うことと、ロック中または準備中に、ロッキングシステムの故障につながる恐れがあるスライドの摺動ゾーンからの逸脱を、避けることが必要である。
【先行技術文献】
【特許文献】
【００１１】
【特許文献１】欧州特許第２６４００８７号
【発明の概要】
【発明が解決しようとする課題】
【００１２】
本発明は、前述の欠点のうちの少なくとも１つを解決するものであり、場合によっては、他の利点をもたらすものである。
【課題を解決するための手段】
【００１３】
したがって、本発明は、別のスピーカキャビネットに接続するための接続装置を備える、スピーカキャビネット用のフレームであって、接続装置がアイレットおよびロッキングシステムを備え、ロッキングシステムは：
‐互いに平行に配設されそれぞれが下側孔および上側孔を備える、前方レッグおよび後方レッグである２本のレッグと、
‐２本のレッグ間に配設され、高位置と低位置との間を摺動するように構成される、スライドであって、スライドは、少なくとも１つの幅広部分および少なくとも１つの幅狭部分を有する開口部を備え、２つの案内部材を具備し、案内部材はそれぞれ、２本のレッグの少なくとも一方のレッグの両側の縁部を支える、スライドと、
‐２本のレッグを互いにリンクさせる少なくとも１つのスペーサと、
‐前記スライドに接続され、スライドを高位置から低位置に自動的に移動させるように構成される、第１の弾性部材と、
‐少なくとも１つの大径部分および少なくとも１つの小径部分を有するシャフトを備える、選択ネジであって、選択ネジのシャフトが、レッグのそれぞれの上側孔およびスライドの開口部を貫通し、選択ネジは、シャフトの少なくとも１つの大径部分がスライドの開口部の内側にある復帰位置と、選択ネジのシャフトの少なくとも１つの小径部分がスライドの開口部の内側にある退出位置との間を移動するように構成される、選択ネジと、
‐選択ネジに接続され、選択ネジを退出位置から復帰位置に自動的に戻すように構成される、第２の弾性部材と、
‐ロッキングシャフトを備えるロッキング部材であって、ロッキングシャフトは、ロッキングシャフトが２本のレッグのそれぞれの下側孔を貫通する、ロッキング位置、および、ロッキングシャフトにより２本のレッグ間に画定された空間が少なくとも部分的に空く、開放位置、をとるように構成される、ロッキング部材と、
‐プル位置およびプッシュ位置をとるように構成され、選択ネジおよびロッキングシャフトに接合される、操作部と
を備え、
ロッキングシステムは、ロック構成および準備構成をとるように構成され、
ロック構成は、
‐スライドが高位置にあり、
‐選択ネジが、シャフトの大径部分がスライドの開口部の幅広部分の内側にある、復帰位置にあり、
‐ロッキングシャフトがロッキング位置にあり、
準備構成は、
‐スライドが低位置にあり、
‐選択ネジが、シャフトの小径部分がスライドの開口部の内側にある、退出位置にあり、
‐ロッキングシャフトが開放位置にあり、
ロッキングシステムは、操作部の移動によってロック構成から準備構成に移行し、低位置から高位置へのスライドの移動によって準備構成からロック構成に移行する、
スピーカキャビネット用のフレームに関する。
【００１４】
そのように構成され、かかる接続装置を備えるスピーカキャビネットフレームは、単純かつより信頼できるという利点を有するキャビネットの自動的な組み付けを可能にする。ロッキングシステムのロックおよび準備は、１人のオペレータによって実行することができる。ロッキングシステムが準備構成の状態にある一つのキャビネットを別のキャビネットに近づけることによって、２つのキャビネットが自動的に相互にロックする。
【００１５】
スライドの案内部材は、レッグの縁部に接した状態で摺動することによって、レッグ間におけるスライドの適切な案内が可能になる。したがって、スライドの並進運動は円滑である。さらに、スライドの摺動の滑らかさは、レッグ同士をリンクさせレッグを互いに平行に保持することを可能にするスペーサの存在によって、レッグ同士の互いの間隔をより良好に一定に保つことで、改善される。
【００１６】
キャビネットの組み付けおよび準備は、接続装置を構成する様々な部材の移動の少なくとも一部が自動化されるので容易になる。具体的には、スライドに接続された第１の弾性部材を使用することによって、高位置から低位置へのスライドの並進運動を自動化することが可能になる。さらに、選択ネジに接続された第２の弾性部材を使用することによって、退出位置から復帰位置への選択ネジの移動を自動化することが可能になる。
【００１７】
ロッキングシャフトによって、ロッキングシステムの適切なロック、および、それにより２つのキャビネットの安全な組み付けが、確実になる。
【００１８】
最後に、操作部を使用することによって、オペレータによるロッキングシステムの使用が容易になる。
【００１９】
一特徴によれば、ロッキング部材は、ロッキングシャフトに接合されたカラーを備え、カラーは、ロッキングシャフトの周りに形成され、外径が前方レッグの下側孔の直径よりも大きい。
【００２０】
カラーも安全性をもたらす手段となる。カラーは、外径が前方レッグの下側孔の直径よりも大きいので、ロッキングシャフトがレッグを越えることを防止する。
【００２１】
別の特徴によれば、ロッキングシステムは、ロッキング部材と選択ネジの両方に固定された接続レッグを備え、ロッキング部材は接続レッグに圧着される。
【００２２】
ロッキング部材を接続レッグに圧着することは、ロッキング部材とレッグとの組み付けの安全性をもたらす、さらなる手段となる。さらに、このことは、ロッキング部材と接続レッグとを、直角にすることをより確実にすることが可能である。
【００２３】
一特徴によれば、操作部は、ロッキング部材の少なくとも一部をオーバーモールドした部分を備える。
【００２４】
このようなオーバーモールディングによって、ロッキング部材への操作部の接合が容易になる。
【００２５】
別の特徴によれば、ロッキングシステムは、２本のレッグを互いに接続する２つのスペーサを備え、２つのスペーサは、レッグの両側に配設される。
【００２６】
レッグのそれぞれの両側に２つのスペーサを使用することによって、レッグが平行に保持されるため、スライドの摺動の円滑性をさらに改善することが可能になる。
【００２７】
一特徴によれば、レッグはそれぞれ、２つの上側孔を備え、ロッキングシステムは２つの選択ネジを備え、２つの選択ネジのシャフトは、２本のレッグの上側孔を貫通する。スライドの開口部は、少なくとも２つの幅広部分および少なくとも２つの幅狭部分を備える。復帰位置では、２つの選択ネジの大径部分がスライドの開口部の内側にあり、退出位置では、２つの選択ネジの小径部分がスライドの開口部の内側にある。
【００２８】
別の特徴によれば、スライドは、２対の案内部材を具備し、各対の案内部材は、２本のレッグの少なくとも一方のレッグの両側の縁部を支える。
【００２９】
案内部材を４つ使用することによって、スライドの案内をさらに改善することが可能になり、したがって、摺動の円滑性を改善することが可能になる。
【００３０】
一特徴によれば、ロッキングシステムは、強制開放構成をとるように構成され、
強制開放構成は、
‐スライドが上側位置にあり、
‐選択ネジが、シャフトの小径部分がスライドの開口部の内側にある、退出位置にあり、
‐ロッキングシャフトが開放位置にあり、
ロッキングシステムは、上側位置へのスライドの移動によって強制開放構成に移行する。
【００３１】
具体的には、ロッキングシステムは、スライドが低位置から上側位置に移動することによって、準備構成から強制開放構成に移行する。さらにロッキングシステムは、操作部がプッシュ位置からプル位置に移動し、スライドが高位置から上側位置に移動することによって、ロック構成から強制開放構成に移行する。
【００３２】
強制開放構成は、最初に相互に組み付けられた２つのキャビネットを接続解除する際に利用することができる。このように、強制開放構成に配置することによって、ロック解除または接続解除の後にキャビネットが連結されたままになることを回避することが可能になる。
【００３３】
一特徴によれば、スライドは、高位置、上側位置、および低位置をとることができる。高位置は、上側位置と低位置との間に位置する配置である。
【００３４】
一特徴によれば、フレームは、キャビネットのそれぞれの両側に配設されるように構成された接続装置を２つ備える。
【００３５】
本発明は、前述の特徴のうちの少なくとも一部を有するフレームを備えるスピーカキャビネットにも関する。
【００３６】
最後に、本発明は、前記特徴のうちの少なくとも一部を有するフレームをそれぞれが備える、第１のスピーカキャビネットおよび第２のスピーカキャビネットを備える少なくとも２つのスピーカキャビネットのセットにも関する。第１および第２のスピーカキャビネットが互いに組み付けられるときに、第２のスピーカキャビネットのアイレットが第１のスピーカキャビネットのロッキングシステムにロックされる。
【００３７】
本発明のさらに他の独自性および利点が、非限定的な例として添付の図面を参照する以下の説明から明らかになろう。
【図面の簡単な説明】
【００３８】
【図１】本発明による実施形態による接続装置を備えるフレームを有するスピーカキャビネットの斜視図である。
【図２】図１のスピーカキャビネットのフレームの斜視図である。
【図３ａ】図１および図２の実施形態による接続装置の分解斜視図である。
【図３ｂ】接続装置のスライドの斜視図を示す。
【図３ｃ】接続装置のスライドの正面図を示す。
【図３ｄ】グリップ部材をさらに装備するスライドの斜視図を示す。
【図４ａ】第２のキャビネットのアイレットが解放された、接続装置のロッキングシステムを実線で示す。
【図４ｂ】第２のキャビネットのアイレットが解放された、接続装置のロッキングシステムを透視図に示す。
【図５ａ】第２のキャビネットのアイレットがロックされている、接続装置のロッキングシステムを実線で示す。
【図５ｂ】第２のキャビネットのアイレットがロックされている、接続装置のロッキングシステムを透視図に示す。
【図６】接続装置によって相互に組み付けられた、第１のキャビネットおよび第２のキャビネットの斜視図である。
【発明を実施するための形態】
【００３９】
図１は、実質的に平行六面体形状のスピーカキャビネット１を示す。キャビネット１は、外壁、具体的には、上面の壁１０、下面の壁１１、２つの側面の壁１２、背面の壁１３および正面の壁を備える。正面の壁は、図面では見えず、音波の放出を可能にするグリッド１４によって覆われている。
【００４０】
本文献では、「高い（ｈｉｇｈ）」「低い（ｌｏｗ）」「上方（ａｂｏｖｅ）」「下方（ｂｅｌｏｗ）」「上側（ｕｐｐｅｒ）」「下側（ｌｏｗｅｒ）」は、理解を容易にするために用いられ、図および図示された実施形態に対するものであると理解される。したがって、これらの用語により限定的な解釈が生じることはない。
【００４１】
キャビネット１はフレーム２を備える。図１ではその一部を見ることができ、図２では単独で示されている。図示された実施形態によれば、フレーム２は、Ｕ字形の支持部品２０を備える。支持部品２０は、中央部分２０１と、中央部分２０１から延びる２つの折返しウイング２０２とを備える。支持部品２０は、この例では、キャビネット１の４分の３を囲繞する。
【００４２】
図示の例示的な実施形態によれば、フレーム２は接続装置２１を２つ備え、接続装置２１は、支持部品２０に固定され、別のスピーカキャビネットへの接続を可能にする。２つの接続装置２１は、フレーム２の正中面に対して対称的になるように折返しウイング２０２に固定される。
【００４３】
もちろん、接続装置の数および配列は変更可能である。本文献の以下どの記述においても、単一の接続装置に関して説明を行うが、言うまでもなく、他の接続装置に関しても有効である。
【００４４】
接続装置２１は、アイレット２１０およびロッキングシステム３を備える。
【００４５】
ロッキングシステム３はレッグを２本備える。レッグは前方レッグ３１ａおよび後方レッグ３１ｂである。レッグ３１ａ、３１ｂは、本明細書では、対向しかつ互いに平行になるように配設される。本明細書では、レッグ３１ａ、３１ｂはそれぞれ、輪郭が実質的に矩形のプレートの形態をとり、内側の平面および外側の平面と称される２つの平面３１４を備える。前方レッグ３１ａの内側の平面が、後方レッグ３１ｂの内側の平面に対向するように配設される。
【００４６】
レッグ３１ａ、３１ｂはそれぞれ、下側孔３１１および２つの上側孔３１２を備える。
【００４７】
２つのウイング２０２の一方に固定される、２つの接続装置２１の一方の分解図を示す、図３ａから理解できるように、本明細書では、フレーム２は、レッグ３１ａと３１ｂと間に配設される中間レッグ３１ｃも備える。
【００４８】
中間レッグ３１ｃは、レッグ３１ａ、３１ｂに実質的に平行である。
【００４９】
レッグ３１ａ、３１ｂは、中間レッグ３１ｃの下端を越えて延び、中間レッグ３１ｃの下方の２本のレッグ３１ａと３１ｂとの間に空間Ｅを画定する。下側孔３１１および上側孔３１２は、本明細書では、レッグ３１ａ、３１ｂにおいてレッグ間に空間Ｅを画定する部分に形成される。
【００５０】
本例では、中間レッグ３１ｃはアイレット２１０を備える。
【００５１】
レッグ３１ａ、３１ｂおよび中間レッグ３１ｃは、アイレット２１０だけがレッグ３１ａ、３１ｂの上端を越えて延びるように配設される。
【００５２】
２つの締付けネジ３１０により、レッグ３１ａ、３１ｂおよび中間レッグ３１ｃを支持部品２０の一方の折返しウイング２０２に固定することが可能になる。
【００５３】
ロッキングシステム３は、図３ｂから図３ｄにおいてより詳細に示すスライド３２も備える。スライド３２は、本明細書では、スライド部分３２０を備え、案内部材３２１およびグリップ部材３２２を具備する。
【００５４】
スライド部分３２０は、図４ａ、図４ｂ、図５ａ、図５ｂに示すように、２本のレッグ３１ａと３１ｂとの間、具体的には、空間Ｅに配設される。本明細書で示すスライド部分３２０は、実質的に平行六面体形状であり、上面３２０ａ、下面３２０ｂ、側面３２０ｃ、ならびに、レッグ３１ａ、３１ｂに対向するように配設される前面および後面３２０ｄを備える。
【００５５】
図３ｂから図３ｄにおいてより詳細に示すように、スライド３２は、本明細書ではスライド部分３２０に形成された、開口部３２３を備える。そして、開口部３２３は、レッグ３１ａ、３１ｂの上側孔３１２に対向するように配設される。開口部３２３は幅が変更可能である。開口部３２３は、少なくとも１つの幅広部分３２３ａおよび少なくとも１つの幅狭部分３２３ｂを備える。幅狭部分３２３ｂは幅が幅広部分３２３ａよりも小さい。本例では、開口部３２３は、２つの幅広部分３２３ａおよび３つの幅狭部分３２３ｂを備える。本明細書では、開口部３２３の幅広部分３２３ａのそれぞれが、２つの幅狭部分３２３ｂの間に配設され、中間の幅狭部分３２３ｂが２つの幅広部分３２３ａの間にある。すなわち、幅狭部分３２３ｂ、幅広部分３２３ａ、幅狭部分３２３ｂ、幅広部分３２３ａ、次いで幅狭部分３２３ｂとなる。言い換えれば、幅広部分３２３ａが幅狭部分３２３ｂの間に挟まれている。
【００５６】
さらに、開口部３２３の各部分の少なくとも一部は、本明細書では、リム３２０ｅによって囲繞される。リム３２０ｅは、少なくともスライド３２のスライド部分３２０の前面３２０ｄに対して奥まっている。
【００５７】
具体的には、本明細書では、第１のリム３２０ｅが、幅狭部分３２３ｂおよび並置される幅広部分３２３ａの少なくとも一部を囲繞し、次いで、第２のリム３２０ｅが、中央の幅狭部分３２３ｂおよびその続きの幅広部分３２３ａの少なくとも一部の両側に形成され、次いで、第３のリム３２０ｅが第３の幅狭部分３２３ｂを囲繞する。
【００５８】
もちろん、スライドの開口部の形状および寸法は変更可能である。具体的には、幅広部分および幅狭部分の数を変更することが可能である。
【００５９】
図示された実施形態では、案内部材３２１は、スライド部分３２０の側面３２０ｃに対して突出して形成される。案内部材３２１は、本明細書では、４つあり、スライド部分３２０の各側面３２０ｃから案内部材３２１が２つずつ突出する。案内部材３２１は、案内部材３２１がスライド部分３２０の４つの角から突出して形成されるように、対称的に形成される。
【００６０】
案内部材３２１は、レッグ３１ａと３１ｂとの間に形成される空間Ｅの外側に配設される。案内部材３２１はそれぞれ、２本のレッグ３１ａ、３１ｂの両側の縁部３１３を支える。レッグ３１ａ、３１ｂの縁部３１３とスライド部分３２０の側面３２０ｃとは、本明細書では、同一平面上にある。
【００６１】
案内部材３２１は、本明細書では、柱形状のものである。案内部材３２１は、前方レッグ３１ａおよび後方レッグ３１ｂの外側の平面に対して突出する。
【００６２】
案内部材３２１によって、２本のレッグ３１ａと３１ｂの間で並進運動するようにスライド３２を案内することが可能になる。
【００６３】
案内部材３２の柱の形状およびその寸法によって、２本のレッグ３１ａ、３１ｂの縁部３１３に対して複数の点で支えることが可能になる。複数の点で支えることで、スライドの案内ならびにスライドの安定性および摺動運動の円滑性を改善することが可能になる。
【００６４】
例示的な実施形態（図示せず）によれば、案内部材３２１は、２本のレッグ３１ａ、３１ｂの一方のレッグだけの縁部３１３のみを支えることが可能である。案内部材３２１は、形状および寸法の少なくとも一方が異なっていてもよい。例えば、案内部材３２１の形状は半円柱であってもよい。支える点の数または支える面のサイズは、案内部材の形状および寸法に応じて変わる。さらに、案内部材３２１の数を変更することが可能である。一例として、スライドは、好ましくは、レッグの少なくとも一方の両側に、案内部材を２つだけ備えることが可能である。最後に、案内部材３２１は異なる配置にしてもよい。スライド部分３２０の一方の側面３２０ｃ上に案内部材３２１を３つ形成し、他方の側面３２０ｃに案内部材３２１を１つ形成してもよい。
【００６５】
例示的な本実施形態では、案内部材３２１の１つが孔を備え、その孔にグリップ部材３２２が挿入される。
【００６６】
グリップ部材３２２は、筒状部分３２２ａと、筒状部分３２２ａに接合されたハンドル３２２ｂとを備える。グリップ部材３２２によってスライド３２を手動で案内することが可能になる。より具体的には、ハンドル３２２ｂを把持することによって、オペレータが２本のレッグ３１ａと３１ｂの間でスライド３２を摺動させることができる。
【００６７】
ロッキングシステム３はさらに第１の弾性部材３３を備え、第１の弾性部材３３は、スライド３２に接続され、中間レッグ３１ｃにも接続される。第１の弾性部材３３は、本明細書では、スライド部分３２０に上面３２０ａにおいて接続される。
【００６８】
本明細書では、具体的には、第１の弾性部材３３は、圧縮状態で働き、中間レッグ３１ｃから離れる方にスライド３２を押すように構成される。
【００６９】
ロッキングシステム３は、レッグ３１ａと３１ｂとを接続する（図２および図３ａに示す）スペーサ３９を２つ備える。２つのスペーサ３９は、レッグ３１ａ、３１ｂの両側に配設される。スペーサ３９によって、レッグ３１ａと３１ｂとの間隔を一定に保つことが可能になる。したがって、レッグ３１ａ、３１ｂは、互いに平行に保持され、これにより、スライド３２の並進運動の円滑性が改善される。
【００７０】
もちろん、スペーサ３９の数は変更可能である。例えば、２本のレッグ３１ａと３１ｂとを接続するのにスペーサは１つで十分な場合もある。
【００７１】
ロッキングシステム３はさらに、具体的には図３ａに示す選択ネジ３４を２つ備える。選択ネジ３４は、レッグの上側孔３１２に挿入され、スライド３２の開口部３２３を貫通する。
【００７２】
選択ネジ３４はそれぞれ、ヘッド３４０およびシャフト３４１を備える。各選択ネジ３４のシャフト３４１は、大径と称される部分を有する大径部分３４１ａと、直径が大径部分よりも小さい、小径と称される部分を有する小径部分３４１ｂとを備える。大径部分３４１ａは、開口部３２３の幅広部分３２３ａに実質的に合うように寸法設定される。大径部分３４１ａは、例えば、直径が幅狭部分３２３ｂの幅よりも大きく、最大で幅広部分３２３ａの幅に等しい。小径部分３４１ｂは、最大で開口部３２３の幅狭部分３２３ｂの幅に一致するように寸法設定される。各選択ネジ３４のヘッド３４０は、直径が開口部よりも大きい、具体的には、幅広部分３２３ａよりも大きい部分を少なくとも１つ有する。このように、各選択ネジ３４のヘッド３４０によって、選択ネジ３４がスライド３２から分離することを避けること、特に、選択ネジ３４が開口部３２３から完全に外れることを避けることが可能になる。
【００７３】
ロッキングシステム３は案内ブロック３４３も備える。案内ブロック３４３は、選択ネジ３４の一部を、本明細書では、各選択ネジ３４のヘッド３４０およびシャフト３４１の一部を囲繞する。案内ブロック３４３は、本明細書では、平行六面体形状であり、後方レッグ３１ｂを支える。案内ブロック３４３によって、選択ネジ３４の並進運動を案内することが可能になる。
【００７４】
ロッキングシステム３はさらに、図３ａに概略的に示す第２の弾性部材３４２を備える。
【００７５】
第２の弾性部材３４２は、本明細書では、案内ブロック３４３内に配設され、各選択ネジ３４に接続されている。
【００７６】
具体的には、第２の弾性部材３４２は、選択ネジ３４のシャフトの一部を囲繞し、選択ネジ３４のヘッドと、後方レッグ３１ｂに並置される案内ブロック３４３の底との間に圧縮状態で保持される。
【００７７】
このように、第２の弾性部材３４２は、以下で説明するように、対応するネジのヘッドを押しやり、したがって、操作部３８をプッシュ位置に動かすように構成される。
【００７８】
説明する実施形態では、ロッキングシステム３は、例えば図４ｂに概略的に示すロッキング部材も備える。ロッキング部材は、相互に接合されたロッキングシャフト３５およびカラー３７を備える。
【００７９】
ロッキングシャフト３５は、本明細書では、スライド３２の下方に配設される。ロッキングシャフト３５は、少なくとも前方レッグ３１ａの下側孔３１１に挿入される。
【００８０】
カラー３７はロッキングシャフト３５の周りに形成される。カラー３７は、２本のレッグ３１ａと３１ｂとの間に形成される空間の外側で、前方レッグ３１ａに対向するように形成される。カラー３７は、外径が前方レッグ３１ａの下側孔３１１の直径よりも大きい。
【００８１】
ロッキングシステム３は、本明細書では、前方レッグ３１ａに対向して配設される接続レッグ３６を備える。接続レッグ３６と前方レッグ３１ａとは本明細書では互いに平行に配設される。接続レッグ３６は、本明細書では、貫通孔を３つ備える（図５ｂに示す）。レッグ３１ａ、３１ｂの上側孔３１２に対向して形成される２つの貫通孔３６０と、レッグ３１ａ、３１ｂの下側孔３１１に対向して形成される１つの貫通孔３６１である。ロッキングシャフト３５および２つの選択ネジ３４は、下側の貫通孔３６１および上側の貫通孔３６０にそれぞれ挿入される。ロッキングシャフト３５と接続レッグ３６とによって形成される角度は、本明細書では、直角である。
【００８２】
ロッキング部材は、接続レッグ３６上に圧着される。ロッキングシャフト３５と接続レッグ３６とが分離された場合に備えて、カラー３７によって、ロッキングシャフト３５がレッグ３１ａ、３１ｂを越えて摺動することを防止する。このように、カラー３７は、ロッキングシステム３のロックの安全性をもたらす手段になる。
【００８３】
図示された例示的な実施形態では、選択ネジ３４およびロッキングシャフト３５には操作部３８が接続される。操作部３８は、本明細書では、ハンドルの形態を有し、前方レッグ３１ａを支える。操作部３８によって、例えばオペレータが、選択ネジ３４およびロッキングシャフト３５を把持することが可能になる。
【００８４】
操作部３８は、本明細書では、少なくともロッキングシャフト３５および接続レッグ３６をオーバーモールドすることによって形成される。好ましくは、オーバーモールドは、接続レッグ３６をロッキングシャフト３５に組み付けた後に実行される。そうすることによって、ロッキングシャフト３５と接続レッグ３６とを確実に直角にすることが可能になる。
【００８５】
ロッキングシステム３はそれぞれ、ロック構成、準備構成、および強制開放構成をとることができる。キャビネット１は、２つのロッキングシステム３がロック構成にあるとき、すなわち、一方のキャビネットのアイレットが他方のキャビネットのロッキングシステムにロックされた状態で、別のキャビネットに組み付けられる。２つのロッキングシステム３が準備位置にあるときは、２つのキャビネットは組み付けられていない。以下に様々な構成を本書において説明する。
【００８６】
説明する実施形態では、スライド３２は、２本のレッグ３１ａと３１ｂとの間で垂直方向に摺動することができる。スライド３２は、ロッキングシステム３がロック構成にあるときは高位置を、ロッキングシステムが強制開放構成にあるときは上側位置を、ロッキングシステム３が準備構成にあるときは低位置をとることができる。
【００８７】
高位置および上側位置では、第１の弾性部材３３は圧縮されている。低位置では、第１の弾性部材３３は弛緩している。第１の弾性部材３３は、スライドを高位置３２から低位置に自動的に戻すように構成される。
【００８８】
各選択ネジ３４は、復帰位置と退出位置との間を移動することができる。選択ネジ３４は、ロッキングシステム３がロック構成にあるときは復帰位置にある。選択ネジ３４は、ロッキングシステム３が準備構成または強制開放構成にあるときは退出位置にある。復帰位置では、選択ネジ３４のシャフト３４１の大径部分がスライド３２の開口部３２３にある。退出位置では、選択ネジ３４のシャフト３４１の小径部分がスライド３２の開口部３２３にある。第２の弾性部材３４２は、対応する選択ネジ３４を退出位置から復帰位置に自動的に戻すように構成される。
【００８９】
ロッキングシャフト３５は、ロッキング位置および開放位置の２つの位置をとるように移動する。ロッキングシャフト３５は、ロッキングシステム３がロック構成にあるときはロッキング位置にある。ロッキングシャフト３５は、ロッキングシステム３が準備構成または強制開放構成にあるときは退出位置にある。ロッキング位置では、ロッキングシャフト３５は２本のレッグ３１ａ、３１ｂそれぞれの下側孔３１１を貫通する。開放位置では、ロッキングシャフト３５により、２本のレッグ３１ａと３１ｂとの間に画定される空間Ｅが少なくとも部分的に空く。第２の弾性部材３４２がそれぞれ、対応する選択ネジ３４を退出位置から復帰位置に戻すときに、ロッキングシャフト３５は、開放位置からロッキング位置に自動的に戻される。
【００９０】
操作部３８は、プル位置およびプッシュ位置をとるように構成される。プル位置では、操作部３８によって、ロッキングシステム３を準備構成に位置決めするよう、選択ネジ３４を退出位置に、また、ロッキングシャフト３５を開放位置に、位置決めすることが可能になる。第２の弾性部材３４２がそれぞれ、対応する選択ネジ３４を退出位置から復帰位置に戻すと、操作部３８はプル位置からプッシュ位置に自動的に戻される。プッシュ位置では、操作部３８は本明細書では前方レッグ３１ａを支える。
【００９１】
上述のような接続装置２１による第２のキャビネット１’との第１のキャビネット１の準備およびロックを、図４ａ、図４ｂ、図５ａ、図５ｂ、図６に関連して説明する。具体的には、図４ａ、図４ｂは準備構成にあるロッキングシステムを示す。図５ａ、図５ｂはロック構成にあるロッキングシステムを示す。図６は、相互に組み付けられた第１および第２のキャビネット１、１’を示す。
【００９２】
第２のキャビネット１’は、本明細書では第１のキャビネット１と同一である。したがって、対応する部分には同じ参照番号を付して、その上に記号「’」（プライム）を加えた。
【００９３】
しかし、２つのキャビネットを組み付けるには、少なくとも第２のキャビネットが、第１のキャビネットのロッキングシステムにロックされることが可能なアイレットを１つ以上備えることが必要である。
【００９４】
準備、ロックおよびロック解除の動作の説明は、単一の接続装置２１、したがって、第１のキャビネット１の単一のロッキングシステム３およびアイレット２１０に関して、並びに、単一の接続装置２１’、したがって、第２のキャビネット１’の単一のロッキングシステム３’およびアイレット２１０’（図６には示さない）に関して行う。もちろん、この説明は、第１のキャビネット１の２つの接続装置２１および第２のキャビネット１’の２つの接続装置２１’に関してもやはり有効である。
【００９５】
第１のキャビネット１の準備工程は以下の通りである。
【００９６】
ロッキングシャフト３５および選択ネジ３４が操作部３８によって引っ張られる。ロッキングシャフト３５は開放位置まで運ばれる。ロッキングシャフト３５は、少なくともキャビネット１の後方レッグ３１ｂの下側孔３１１から抜き出され、アイレットが他方のキャビネット１’のアイレット２１０’にロックされているときはその孔から抜き出される。ロッキングシャフト３５により、２本のレッグ３１ａと３１ｂとの間に画定される空間Ｅが少なくとも部分的に空く。ロッキングシャフト３５は、場合によっては、前方レッグ３１ａの下側孔３１１に押し込まれたままである（しかし、そこから抜かれていてもよい）。選択ネジ３４が引っ張られると、選択ネジ３４のシャフト３４１の大径部分がスライド３２の開口部３２３から抜き出される。選択ネジ３４は退出位置をとる。各選択ネジ３４の第２の弾性部材３４２は圧縮される。したがって、開口部３２３の幅広部分３２３ａは、選択ネジのシャフト３４１の小径部分を囲繞する。第１の弾性部材３３は弛緩し、したがって、スライドを押しやり、その際、スライドは低位置をとるように下方に摺動する。スライド３２は、選択ネジ３４の少なくとも一方がスライド３２の下側面Ｓに支えられるようになるまで摺動する。該下側面Ｓは、開口部３２３に形成され、少なくとも１つの選択ネジ３４のための停止具を形成する。具体的には、そのときに、選択ネジ３４の小径部分３４１ｂは、スライド３２の開口部３２３の幅狭部分３２３ｂに位置決めされるようになっている。さらに、選択ネジ３４の大径部分３４１ａはその際に、リム３２０ｅの一部を支えるようになっている。したがって、システムは準備構成に保持される。
【００９７】
このように、第１のキャビネット１のロッキングシステム３は準備構成にある。そのとき、第１のキャビネット１は、第２のキャビネット１’に組み付けられる用意が整っている。
【００９８】
２つのキャビネット１と１’とを組み付ける工程は以下の通りである。
【００９９】
第２のキャビネット１’は、準備構成に配置された第１のキャビネット１の下方に配設される。図示された実施形態では、第２のキャビネット１’の上面の壁１０’は、第１のキャビネット１の下面の壁１１に対向して配設される。
【０１００】
第２のキャビネット１’のアイレット２１０’は、第１のキャビネット１のレッグ３１ａと３１ｂとの間に空間Ｅの位置で配設される。第２のキャビネット１’のアイレット２１０’は、第１のキャビネット１のスライド３２に、具体的には、スライド部分３２０の下面３２０ｂに対して支える状態になる。第１のキャビネット１のスライド３２は、アイレット２１０’によって押しやられながら、上方に摺動する。そのとき、第１の弾性部材３３は圧縮され、その際スライド３２は高位置をとる。
【０１０１】
スライドが高位置に移行すると、２つの選択ネジ３４は、開口部３２３の２つの幅広部分３２３ａにそれぞれ位置するようになる。その際、各選択ネジ３４の第２の弾性部材３４２は、選択ネジ３４を復帰位置に自動的に戻す。同時に、選択ネジ３４を戻すことによって操作部３８を動かす第２の弾性部材３４２の影響下で、ロッキングシャフト３５もロッキング位置に戻される。ロッキング位置では、ロッキングシャフト３５は、第１のキャビネット１のレッグ３１ａ、３１ｂの下側孔３１１および第２のキャビネット１’のアイレット２１０’を貫通する。このように、第１のキャビネット１のロッキングシステム３はロック構成にあり、すなわち、第２のキャビネット１’のアイレット２１０’が第１のキャビネット１のロッキングシステム３に係合される。ロッキングシャフト３５は、第１のキャビネット１のロッキングシステム３において第２のキャビネット１’のアイレット２１０’の適切なロックを確実にする。
【０１０２】
２つのキャビネット１と１’のロック解除は、第１のキャビネット１をロック解除することによって実行される。そうすることで、第２のキャビネット１’のアイレット２１０’を、第１のキャビネット１のロッキングシステム３のロッキング位置から抜き出すことが可能になる。
【０１０３】
ロック解除の際は、キャビネットが相互に連結されたままになることを避けるために、第１のキャビネット１を強制開放構成に位置決めすることができる。操作部３８は、プル位置に配置され、その際、選択ネジ３４を退出位置に、また、ロッキングシャフト３５を開放位置に動かす。このとき、第１のキャビネット１は強制開放構成にすることができる。このために、スライド３２は、グリップ部材３２２によって上方にさらに押される。スライド３２は上側位置まで押される。その位置は本明細書では高位置よりも高いところに位置し、すなわち、スライドが中間レッグ３１ｃにより近くなり、かつ第１の弾性部材３３が高位置のときよりも圧縮される位置である。したがって、選択ネジ３４は、開口部３２３の中間の幅狭部分３２３ｂおよび下側の幅狭部分３２３ｂ内に来る。開口部３２３の幅狭部分３２３ｂは、各選択ネジ３４のシャフト３４１の小径部分を囲繞し、そのとき、シャフト３４１の対応する大径部分３４１ａはリム３２０ｅの一部を支える。このように、ロッキングシステム３は強制開放構成に保持される。
【０１０４】
このように、第１のキャビネット１は別のスピーカキャビネットと組み付けられる用意が整う。
【０１０５】
第２のキャビネット１’を第１のキャビネット１と自動的に組み付けることを可能にするために、第１のキャビネット１を準備しなければならない。
【０１０６】
第１のキャビネット１のロッキングシステムの強制開放構成をロック構成に基づいて説明した。もちろん、第１のキャビネット１は、完全に準備された後で強制開放構成に配置してもよい。
【０１０７】
さらに、説明した例では、キャビネットは、グリップ部材３２２によってスライド３２を上側の構成に移動させることによって適切な構成に配置することができる。もちろん、スライドの移動は別の手法で、具体的には、異なるグリップ部材によって、またはスライド部分３２０を直接把持および移動することによって、実現することができる。
【０１０８】
本例では、すでに説明した組み付けおよびロック解除の工程は、好ましくは、第１のキャビネット１の２つのロッキングシステム３および第２のキャビネット１’の２つのアイレット２１０’について同時に行われる。同様に、第１のキャビネット１の準備の工程および強制開放構成に配置する工程は、２つのロッキングシステム３について同時に実現することができる。
【０１０９】
当然ながら、本発明は上記で説明した実施形態に限定されない。
【符号の説明】
【０１１０】
２    フレーム
３    ロッキングシステム
２０    支持部品
２１    接続装置
３１ａ    前方レッグ
３１ｂ    後方レッグ
３２    スライド
３８    操作部
３９    スペーサ
２０１    中央部分
２０２    折返しウイング
２１０    アイレット
３２１    案内部材
３２２    グリップ部材
３４３    案内ブロック
Ｅ    空間
【図１】
2020115635.tif 000003
【図２】
2020115635.tif 000004
【図３ａ】
2020115635.tif 000005
【図３ｂ】
2020115635.tif 000006
【図３ｃ】
2020115635.tif 000007
【図３ｄ】
2020115635.tif 000008
【図４ａ】
2020115635.tif 000009
【図４ｂ】
2020115635.tif 000010
【図５ａ】
2020115635.tif 000011
【図５ｂ】
2020115635.tif 000012
【図６】
2020115635.tif 000013
【外国語明細書】
2020115635000001.pdf